(57)【要約】【課題】不正輸出を防止する工作機械において、移設するとき以外でも工作機械が起動できなくなる状態が発生し、あるいは無線が送受信できない場合に管理することができない問題がある。【解決手段】機械本機１に機械的に開閉するスイッチ４が設けられる。オン信号発生装置５は、機械本機１が持ち上げられスイッチ４が導通したときにオン信号を識別値出力装置６に出力して出力を保持する。識別値出力装置６は、機械本機の移設の有無を識別する識別コードを保持しており、電源の投入時に乱数発生器７がオン信号を入力したときには不規則に識別コードを求めて保持している識別コードを新しい識別コードに置き換えて保持するとともに制御装置２に保持している識別コードを出力する。制御装置２は、識別コードを暗号化して暗号コードと予め設定された設定コードとを比較して一致しないときは起動しない。【選択図】図１
2008200797.tif 000002
【特許請求の範囲】
【請求項１】
機械本機が持ち上げられたときに導通するスイッチと、前記スイッチが導通したときにオン信号を出力するオン信号発生装置と、前記機械本機の移設の有無を識別する識別コードを保持するとともに前記オン信号発生装置からオン信号を入力したときに新しい識別コードを求めて前記保持されている識別コードを前記新しい識別コードに置き換えて保持し前記保持されている識別コードを出力する識別値出力装置と、前記識別値出力装置から出力される識別コードと予め設定されている設定コードとを比較して前記識別コードと前記設定コードが一致しないときは起動しないようにした制御装置と、を備えた工作機械。
【請求項２】
前記スイッチが前記機械本機と前記制御装置を接続する外部ケーブルの端子が外されたときに導通するスイッチである請求項１に記載の工作機械。
【請求項３】
前記オン信号発生装置が前記識別値出力装置または前記制御装置からのリセット信号を入力するまでオン信号を出力するように構成したことを特徴とする請求項１に記載の工作機械。
【請求項４】
前記識別値出力装置が変更前の前記保持されている識別コードを所定の法則に従って変換して新しい識別コードを求めるとともに、前記制御装置が前記識別値出力装置から出力される識別コードと前記変更前の識別コードを前記所定の法則に従って変換して得られる新たに入力される解除コードとを比較して一致するときは起動するように構成したことを特徴とする請求項１に記載の工作機械。
【請求項５】
前記制御装置が前記解除コードを新たな設定コードとして記憶するように構成したことを特徴とする請求項４に記載の工作機械。
【請求項６】
前記制御装置が前記識別値出力装置から出力される識別コードを所定の法則に従って暗号化して前記暗号コードと前記設定コードとを比較して前記暗号コードと前記設定コードが一致しないときは起動しないように構成したことを特徴とする請求項１に記載の工作機械。
【請求項７】
前記制御装置が前記識別値出力装置から出力される識別コードを表示装置に表示するとともに前記暗号コードと前記所定の法則に従って得られる新たに入力される解除コードとを比較して前記暗号コードと前記解除コードが一致するときは起動するように構成したことを特徴とする請求項６に記載の工作機械。
【請求項８】
前記制御装置が前記解除コードを新たな設定コードとして記憶するように構成したことを特徴とする請求項７に記載の工作機械。
【発明の詳細な説明】
【技術分野】
【０００１】
本発明は、輸出規制地域に不正に移設されることを防止する機能を有する工作機械に関する。
【背景技術】
【０００２】
工作機械は、軍事技術に転用できるおそれのある製品に挙げられており、法律によって特定の外国組織には輸出が禁止されている。メーカは、内部統制を推進し、輸出管理社内規定の厳格な運用を行なって輸出規制の対象となっている工作機械が特定の外国組織に転売されないようにしている。しかしながら、管理体制の確立だけでは不正輸出を防止することが完全に保障されていないのが現状であることから、物理的に不正輸出を防止することが考えられている。
【０００３】
特許文献１に開示される振動検出装置および機器の起動制御方法は、機器に振動検出手段を設けて、振動を検出すると機器が起動できないようにされている。そして、予め設定された条件下で起動禁止手段を解除することによって再び起動できるように構成されている。
【０００４】
また、特許文献２に開示される工作機械の稼働状況管理システムは、工作機械に位置検出手段を設けて位置情報を無線などで管理装置に送ることで輸出が制限されている国に違法に転売されていないかどうか把握することができるようにしている。位置情報を管理装置に送信するものとして、例えば、ＧＰＳ（Global Positioning System）が利用されている。このように、位置情報を管理装置に送り工作機械の設置場所を把握するようにしたシステムは、例えば、特許文献３や特許文献４に開示されている。
【０００５】
【特許文献１】特開２００３−３５５９５号公報
【特許文献２】特開２００５−１０７６４６号公報
【特許文献３】特開２００５−１９００６８号公報
【特許文献４】特開２００５−４４１６２号公報
【発明の開示】
【発明が解決しようとする課題】
【０００６】
特許文献１のように振動検出手段を設けたシステムでは、機器を移設するとき以外の地震などの振動によって振動検出手段が作動してしまい、しばしば移設するとき以外でも工作機械が起動できなくなる状態が発生し、そのたびに工作機械を再起動できるようにする面倒な処置を行なわなければならないという問題が生じる。
【０００７】
また、特許文献２のように位置情報を無線によって送信して設置場所を把握するようにしたシステムでは、無線が送受信できない電波の届かない状態で電波の届かない場所に移設された場合は、管理することができなくなってしまう問題を有する。また、多数の工作機械の位置を監視する大掛かりなシステムが要求される。
【０００８】
本発明は、上記課題に鑑みて、不正輸出を防止する目的でより容易かつ確実に工作機械の移設を制限する工作機械を提供することを目的とする。
【課題を解決するための手段】
【０００９】
本発明の工作機械は、上記課題を解決するために、機械本機（１）が持ち上げられたときに導通するスイッチ（４）と、スイッチ（４）が導通したときにオン信号を出力するオン信号発生装置（５）と、機械本機（１）の移設の有無を識別する識別コードを保持するとともにオン信号発生装置（５）からオン信号を入力したときに新しい識別コードを求めて保持されている識別コードを新しい識別コードに置き換えて保持し保持されている識別コードを出力する識別値出力装置（６）と、識別値出力装置（６）から出力される識別コードと予め設定されている設定コードとを比較して識別コードと設定コードが一致しないときは起動しないようにした制御装置（２）と、を備える。
【００１０】
スイッチ（４）を機械が持ち上げられたときに導通するスイッチに代えて機械本機（１）と制御装置（２）を接続する外部ケーブルの端子が外されたときに導通するスイッチとすることができる。また、オン信号発生装置（５）が識別値出力装置（６）または制御装置（２）からのリセット信号を入力するまでオン信号を出力するように構成する。
【００１１】
好ましくは、識別値出力装置（６）が変更前の保持されている識別コードを所定の法則に従って変換して新しい識別コードを求めるとともに、制御装置（２）が識別値出力装置（６）から出力される識別コードと変更前の識別コードを所定の法則に従って変換して得られる新たに入力される解除コードとを比較して一致するときは起動するように構成する。また、制御装置（２）が解除コードを新たな設定コードとして記憶するように構成する。
【００１２】
また、好ましくは、制御装置（２）が識別値出力装置（６）から出力される識別コードを所定の法則に従って暗号化して暗号コードと設定コードとを比較して暗号コードと設定コードが一致しないときは起動しないように構成する。また、制御装置（２）が前記識別値出力装置（６）から出力される識別コードを表示装置に表示するとともに暗号コードと所定の法則に従って得られる新たに入力される解除コードとを比較して暗号コードと解除コードが一致するときは起動するように構成する。より好ましくは、制御装置（２）が解除コードを新たな設定コードとして記憶するように構成する。
【発明の効果】
【００１３】
本発明の工作機械は、機械本機が持ち上げられたときや機械本機と制御装置を接続する外部ケーブルの端子が外されたときにスイッチが導通し、スイッチが導通するとオン信号発生装置がオン信号を出力して識別値出力装置が機械本機の移設の有無を識別する識別コードを変更して出力するので、制御装置の電源を投入したときに識別コードと設定コードが一致しなくなり制御装置が起動しなくなる。機械本機が持ち上げられたり、機械本機と制御装置とを接続する外部ケーブルの端子が外されたりするときは殆どが機械本機を移設するときであり、より確実に移設のときに限って制御装置の起動を禁止することができる。そして、重量物であり据付けが容易でない機械本機を移設することは稀であることから、機械本機の移設以外のときにたびたび工作機械の運転ができなくなるおそれがない。また、電波の届かない状態であっても機械本機の移設を監視することができる。また、大掛かりなシステムを必要としない。その結果、より容易かつ確実に不正輸出を防止することができる効果を奏する。
【００１４】
制御装置が識別値出力装置から出力される識別コードと識別値出力装置が識別コードを求める所定の法則に従って得られる新たに入力される解除コードとを比較して一致するときに起動するように構成することで、機械本機が輸出規制地域以外に正当に移設されたときに、制御装置が起動できない状態を容易に解除することができる。また、解除コードを新たな設定コードとして記憶するように制御装置を構成することで、特別な処置を施すことなく容易に工作機械の運転を再開できる状態に戻すことができる。
【００１５】
制御装置が識別値出力装置から出力される識別コードを所定の法則に従って暗号化して、暗号コードと設定コードとが一致しないときは制御装置を起動できないように構成した場合は、識別コードが読み取られることによって不当に制御装置の起動の禁止が解除されるおそれがなくなる。また、変更される前の元の識別コードを記録しておく必要がないなど、工作機械の管理がより容易である。また、暗号コードと所定の法則に従って得られる新たに入力される解除コードとが一致するときは制御装置を起動できるように構成した場合は、識別コードが不規則に変更されて出力されても解除コードを求めることができるので、機械本機が正当に移設されたときに、制御装置が起動できない状態を容易に解除することができる。また、解除コードを新たな設定コードとして記憶するように制御装置を構成することで、特別な処置を施すことなく容易に工作機械の運転を再開できる状態に戻すことができる。
【発明を実施するための最良の形態】
【００１６】
図１は、本発明の概略構成を示し、機械本機が持ち上げられたときの状態を示す。工作機械は、機械本機１と制御装置２を有する。制御装置２は、機械本機１に一体的に設けられる場合と、機械本機１とは別に設置される筐体内に収納され機械本機１と離れて設けられる場合がある。制御装置２が機械本機１と離れて設けられる場合は、機械本機１と制御装置２との間は、外部ケーブル（蛇管）で接続される。
【００１７】
制御装置２は、機械本機１の運転を制御する。例えば、制御装置２は、機械本機１の各軸送り装置の移動を制御する。制御装置２は、一般に、操作者が制御装置２を操作して機械本機１を運転させたり作業の管理をしたりするコンピュータ数値制御装置（CNC, Computerized Numerical Controller）と、軸送り装置のモータを制御するモータ制御装置や加工液供給装置を制御する加工液制御装置などの機械本機１に設けられる各装置の制御装置を有する。
【００１８】
数値制御装置は、ＣＰＵ（Central Processing Unit）と、ＤＤＲ−ＳＤＲＡＭ（Double Data Rate-Synchronous Dynamic Random Access Memory）のようなメモリとハードディスクドライブやフラッシュメモリのような記憶装置、ディスプレイ、キーボード、グラフィックアダプタ、ＬＡＮアダプタ（Local Area Network）などを含んでなる。数値制御装置が起動することによって、制御装置２は機械本機１を制御することができる。
【００１９】
数値制御装置を動作させるプログラムは、大きく分けてＢＩＯＳ（Basic Input/Output System）、ＯＳ（Operating System）、工作機械制御専用のアプリケーションソフトウェアとからなり、制御装置２の電源が投入されると、最初にＢＩＯＳを実行して各ハードウェアの認識と動作確認を行ない、その後にＯＳの起動プログラムを実行してから工作機械制御専用のアプリケーションソフトウェアが起動する。工作機械制御専用のアプリケーションソフトウェアが正常に実行されなければ、機械本機１を制御することができない。したがって、制御装置２が正常に起動するためには工作機械制御専用のアプリケーションソフトウェアまで起動する必要がある。
【００２０】
機械本機１のベッド３の地面に接地する場所に、機械的に開閉するスイッチ４が設けられている。スイッチ４は、機械本機１が設置されているときは非導通し、機械本機１が持ち上げられたときに導通する。スイッチ４は、機械本機１が地面に設置されているときは、ピンが地面に押されてバネ力に抗して上側に位置し接点が開いて導通していないオフの状態にある。一方、スイッチ４は、図１に示されるように機械本機１が持ち上げられたときは、バネ力によってピンが下側に位置して接点が閉じて導通しているオンの状態にある。
【００２１】
制御装置２が機械本機１とは別に設置される筐体内に収納され機械本機１と制御装置２との間が外部ケーブルで接続される場合は、機械的に開閉するスイッチ４を図示しない外部ケーブルを接続する端子（コネクタ）に設けることができる。この場合は、スイッチ４は、コネクタを接続しているときは非導通のオフの状態にあり、コネクタを外したときに接点が閉じて導通しているオンの状態になる。
【００２２】
機械本機１に、スイッチ４が導通したときにオン信号を出力するオン信号発生装置と、機械本機１の移設の有無を識別する識別コード（識別値）を保持しておりオン信号発生装置からオン信号を入力したときには所定の法則に従ってあるいは不規則に新しい識別コードを求めて保持している識別コードを新しい識別コードに置き換えて保持し保持している識別コードを出力する識別値出力装置が設けられる。実施の形態では、オン信号発生装置は、自己保持回路５である。また、識別値出力装置６は、基板上に設置された乱数発生器７を含んでなる。
【００２３】
機械本機１には、機械本機１に電源から電力が供給されているときに充電されている電池のようなバッテリが内蔵されており、機械本機１の電源が遮断されているときに自己保持回路５と識別値出力装置６に電力を供給する。機械本機１が持ち上げられるときは、電源が遮断されているときである。したがって、自己保持回路５は、機械本機１を移設しようとして電源を遮断し機械本機１を持ち上げているときであっても作動する。また、識別値出力装置６は、所定の識別コードを保持することができる。
【００２４】
自己保持回路５は、スイッチ４が導通したときにオン信号を識別値出力装置６に出力する。また、自己保持回路５は、識別値出力装置６または制御装置２によってリセットされるまでオン信号を出力しているオンの状態を保持する。機械本機１が持ち上げられてスイッチ４が導通すると、自己保持回路５の中の図示しないリレーを閉じて自己保持回路５をオン信号が出力されるオンの状態にする。自己保持回路５がオンの状態にあるときには、オン信号が識別値出力装置６の乱数発生器７に出力され続ける。リレーは、識別値出力装置６から出力されるリセット信号によって開放され、自己保持回路５は、オン信号を出力しないオフの状態を保持する。
【００２５】
オン信号発生装置が自己保持回路５のようにオン状態を保持するように構成されているときは、機械本機１の電源が遮断されている間に機械本機１の持ち上げを行なった後に据え置いてスイッチ４が非導通になった場合、あるいは機械本機１の移動やケーブルの取り外しを何回行なってもオン状態を保持しているので、電源が遮断されている間、識別値出力装置６の乱数発生器７が動作しなくても、電源投入時に乱数発生器７にオン信号を入力させて動作させることができる。したがって、機械本機１の電源が遮断されている間に乱数発生器７を動作させないようにすることで消費電力を小さくすることができる。なお、識別値出力装置６の識別コードを保持する保持装置８または図示しない記憶装置が電力を供給されなくてもデータを記憶しておくことができる装置であるときは、電源が遮断されている間、識別値出力装置６に電力が供給されていなくてもよい。
【００２６】
識別値出力装置６が、変更前の元の識別コードをメーカによって非公開の所定の法則に従って変換して新しい識別コードを求めるように構成されているときは、起動できない状態を解除する解除コードを求めるために、元の識別コードが記録されている必要がある。制御装置２が正常に起動しない間に識別値出力装置６が何度も識別コードを変更して出力した場合は、元の識別コードがわからなくなるため、制御装置２が正常に起動した後に自己保持回路５にリセット信号が出力されるように構成する。このように構成することによって、識別値出力装置６が所定の法則に従って新しい識別コードを出力する場合に、新しい識別コードに変更する回数を１回にして解除コードを求めることができなくならないようにすることができる。ただし、実施の形態のように識別値出力装置６が乱数発生器７を含む構成である場合は、乱数発生器７が発生する識別コードは不規則に求められるので、電源が投入されるまでに何度新しい識別コードを発生しても問題がない。
【００２７】
識別値出力装置６は、保持装置８または記憶装置に所定の識別コードを保持しており、電源が投入されたときに保持している識別コードを出力回路９にセットして制御装置２に出力する。識別コードは、機械本機１が移設されたかどうかを識別するための符号であり、数字または英字や記号を含むシリアルデータである。識別値出力装置６は、機械本機１が移設されたときは、スイッチ４が導通して自己保持回路５からオン信号を入力することによって保持している識別コードを新しい識別コードに変更して制御装置２に出力する。
【００２８】
識別値出力装置６は、自己保持回路５からオン信号を入力したときには、保持している変更前の元の識別コードをメーカによって非公開の所定の法則に従って変換して新しいコードを求めて、または不規則に新しい識別コードを求めて、保持している古い元の識別コードに置き換えて新しい識別コードを保持する。実施の形態の識別値出力装置６は、電源が投入されたときに乱数発生器７が自己保持回路５からオン信号を入力して不規則に新しい識別コード（乱数値）を求めて保持装置８に保持されている識別コードを新しい識別コードに置き換えて保持するとともに保持している識別コードを出力回路９にセットして新しい識別コードを制御装置２に出力する。
【００２９】
制御装置２は、電源が投入された後に識別値出力装置６から出力される識別コードを入力して制御装置２に予め設定されている設定コード（設定値）と比較する。制御装置２は、識別コードと設定コードが一致したときは正常に起動する。一方、制御装置２は、識別コードと設定コードが一致しないときは起動しない。制御装置２は、識別コードと設定コードが一致しないことによって起動しないときは、操作者が図示しない制御装置２の表示装置（ディスプレイ）に表示される入力画面に従ってメーカから提供される解除コード（解除値）を入力することによって制御装置２を起動させることができる。解除コードは、識別値出力装置６で新しい識別コードを得るときに使用された所定の法則によって得ることができる。
【００３０】
実施の形態の制御装置２は、電源が投入された後に識別値出力装置６から出力される識別コードを表示装置に表示するとともに識別コードを所定の法則に従い暗号化して、暗号化された暗号コード（暗号値、レジスト値）と設定コードを比較する。暗号コードと設定コードが一致しないときは起動しないようにし、暗号コードと新たに入力される解除コードとを比較して暗号コードと解除コードが一致するときは起動するようにしている。
【００３１】
暗号コードは、メーカによって非公開の所定の法則に従って識別値出力装置６から出力される識別コードを暗号化して得る。このように構成することによって、変更する前の元の識別コードが不明であっても表示される識別コードから暗号化する所定の法則に従って解除コードを求めることができるので、変更前の元の識別コードを記録しておく必要がなく、工作機械の管理がより容易になる。また、識別値出力装置６が乱数発生器７のように不規則に識別コードを発生するものであっても暗号化するときの所定の法則によって解除コードを得ることができ、制御装置２の起動の禁止を解除できる。また、新しい識別コードを得る手法が知られても問題がなく、暗号化の手法が知られた場合であっても、識別値出力装置６を交換することなく制御装置２における暗号化するときの所定の法則を変更するだけで制御装置２の起動を禁止することができる利点がある。
【００３２】
メーカは、表示装置上に表示される乱数発生器７から不規則に出力される識別コードであるシリアルデータを非公開の所定の法則に従い暗号化することで解除コードを得ることができるが、所定の法則がユーザに秘密であるために、操作者は表示されている識別コードを見ただけでは制御装置２の起動の禁止を解除することができず、メーカから解除コードの通知を受けて解除コードを入力することによって制御装置２の起動の禁止を解除することができる。
【００３３】
図２は、本発明の工作機械における実施の形態のオン信号発生装置と識別値出力装置の動作を示す。また、図３は、実施の形態の制御装置の起動時の動作を示す。以下、本発明の工作機械における電源投入時の動作について説明する。
【００３４】
機械本機１が地面に設置されてスイッチ４が導通していないときは、自己保持回路５はオン信号を出力しないオフの状態にある。機械本機１が持ち上げられて移動されるときにスイッチ４が導通する。スイッチ４が導通したときは、自己保持回路５は、図示しないリレーを閉じてオン信号を出力するとともに識別値出力装置６によってリセットされるまでオンの状態を保持する。したがって、機械本機１が据え置かれてスイッチ４が再び非導通になっても、自己保持回路５はリセットされない限りオン信号を出力し続ける。
【００３５】
機械本機１を据え置いて機械本機１と制御装置２の電源が投入されたときに、識別値出力装置６は、識別コードを出力回路９にセットして制御装置２に出力する。自己保持回路５がオン信号を出力していないオフの状態にあるときは（Ｓ１１）、乱数発生器７にオン信号が入力されないので乱数発生器７は作動せず、識別値出力装置６は、保持装置８に保持されている所定の桁数の数字または数字と英字あるいは記号の組合せのからなるシリアルデータである識別コードを出力回路９にセットして制御装置２に出力する（Ｓ１５）。
【００３６】
機械本機１が持ち上げられて一旦スイッチ４が導通したときは自己保持回路５がオン信号を出力しているオン状態にあり、識別値出力装置６の乱数発生器７にオン信号が入力されて（Ｓ１１）、乱数発生器７が作動して不規則に新しい識別コードを求める（Ｓ１２）。次に、これまで保持装置８に保持している識別コードを新しい識別コードでオーバライトして古い識別コードを新しい識別コードに置き換えて保持装置８に保持させる（Ｓ１３）。同時に、自己保持回路５にリセット信号を出力してリレーを切って自己保持回路５をオン信号が出力されないオフの状態にする（Ｓ１４）。そして、識別値出力装置６は、保持装置８に保持している新しい識別コードを出力回路９にセットして制御装置２に出力する（Ｓ１５）。
【００３７】
機械本機１と制御装置２の電源が投入されたとき、制御装置２では、起動プログラムに従ってＢＩＯＳが起動し、続いてＯＳが起動する。ＯＳが起動した後に機械本機１の識別値出力装置６から識別コードを入力する（Ｓ２１）。入力した識別コードはレジストされる（Ｓ２２）。レジストは、メーカによって非公開の所定の法則に従って識別コードであるシリアルデータを暗号化することである。
【００３８】
次いで、識別コードが暗号化された暗号コードと制御装置２に予め設定され記憶されている設定コードとを比較する（Ｓ２３）。暗号コードと設定コードが一致するときは、工作機械制御専用のアプリケーションソフトウェアを起動して制御装置２を起動する（Ｓ２４）。
【００３９】
暗号コードと設定コードが一致しないときは、識別値出力装置６から入力した識別コードと、機械本機１が移動されたのでメーカに移動場所と表示装置に表示されている識別コードを連絡して解除コードを入手して解除コードを入力する必要があることを示すメッセージと、解除コードを入力する画面と、が制御装置２の表示装置に表示される。解除コードは、メーカによって秘密にされた非公開の所定の法則に従って識別値出力装置６から入力した識別コードを暗号化した暗号コードと同じデータである。したがって、メーカは、表示装置に表示されている識別コードを上記非公開の所定の法則に従って変換することで解除コードを得ることができる。
【００４０】
操作者がメーカから知らされた解除コードを入力すると（Ｓ２５）、設定コードが解除コードに置き換えられて新しい設定コードとして図示しない記憶装置に記憶される（Ｓ２６）。そして、暗号コードと解除コードが比較される、言い換えれば、暗号コードと解除コードで置き換えられた新しい設定コードが比較されることによって暗号コードが設定コードと一致する（Ｓ２３）。暗号コードと設定コードが一致したときは、工作機械制御専用のアプリケーションソフトウェアを起動して制御装置２を起動する（Ｓ２４）。
【００４１】
以上に説明される実施の形態の工作機械は、実施の形態に限らず、既にいくつかの例が述べられているように、種々の変形や置換が可能である。例えば、実施の形態では、ＯＳの起動後に識別コードを暗号化して設定コードと比較するように構成されているが、ＢＩＯＳ、ＯＳ、工作機械制御専用のアプリケーションソフトウェアの全てが起動しないと制御装置は正常に起動しないので、ＢＩＯＳの起動前やＯＳの起動前に識別コードを入力するように構成することができる。
【００４２】
以上に説明される本発明の工作機械によると、機械本機を持ち上げたときに、言い換えれば、機械本機を移設しようとしたときにスイッチが導通してオン信号発生装置がオン信号を出力し識別値出力装置が保持している識別コードを書き換えて新しい識別コードが出力され、制御装置に予め設定されている設定コードと一致しなくなって制御装置が起動しなくなるので、輸出規制地域に移設しようとした場合は、制御装置が起動しないことによって機械本機を稼動させることができなくなり、確実に不正輸出を防止することができる。
【００４３】
また、制御装置の起動禁止の解除は、メーカによって非公開の所定の法則に従って設定コードを新しい設定コードに書き換えることによって行なうことができるので、制御装置の起動禁止の解除の処理も安全かつ簡単である。
【産業上の利用可能性】
【００４４】
本発明は、輸出が制限されている機械に利用することができる。特に、軍事技術に転用することができる高精度の工作機械に適し、工作機械が輸出規制地域に不正に輸出されることを防止する。
【図面の簡単な説明】
【００４５】
【図１】本発明の工作機械の概容を示すブロック図である。
【図２】本発明の工作機械における実施の形態の識別値出力装置の動作を示すフローチャートである。
【図３】本発明の工作機械における実施の形態の制御装置の起動時の動作を示すフローチャートである。
【符号の説明】
【００４６】
１  機械本機
２  制御装置
３  ベッド
４  スイッチ
５  自己保持回路（オン信号発生装置）
６  識別値出力装置
７  乱数発生器
８  保持装置
９  出力回路
【図１】
2008200797.tif 000003
【図２】
2008200797.tif 000004
【図３】
2008200797.tif 000005